(57)【要約】【課題】  携帯可能なフック式避難器具を提供する。【解決手段】  台座１、円錐形部分本体２、持ち手ハンドル３、握りハンドル４、連動ロッド５及び回転盤６からなる。台座１の中間は中が空洞の円錐形穴１１になっていて、台座１の両側上方に貫通穴１２があって、下方にはそれぞれ固定された持ち手ハンドル３及び操作するための握りハンドル４がある。握りハンドル４が台座１の下方にはめ込まれ、握りハンドル４の中間の両側にそれぞれ連動ロッド５がはめ込まれ、それぞれの連動ロッド５のもう一方の端には回転盤６がはめ込まれている。回転盤６はさらに円錐形部分本体２の下端に突出した突起部分２２がはめ込まれて固定される。円錐形部分本体２は、円錐形穴１１内にあって、表面にはくぼんだ螺旋槽２１があって、ロープが絡まるようになっていて、下端には突出した突起部分２２がある。【選択図】    図１
0003115148.tif 000002
【実用新案登録請求の範囲】
【請求項１】
台座、円錐形部分本体、持ち手ハンドル、握りハンドル、連動ロッド及び回転盤からなり、
台座の中間は中が空洞の円錐形穴になっており、台座の両側上方に貫通穴があって、下方にはそれぞれ固定された持ち手ハンドル及び操作するための握りハンドルがあって、握りハンドルが台座の下方にはめ込まれた後、握りハンドルの中間の両側にそれぞれ連動ロッドがはめ込まれ、それぞれの連動ロッドのもう一方の端には回転盤がはめ込まれ、回転盤はさらに円錐形部分本体の下端に突出した突起部分がはめ込まれて固定され、円錐形部分本体は台座の中間の中が空洞の円錐形穴内にあって、表面にはくぼんだ螺旋槽があって、ロープが絡まるようになっており、下端には突出した突起部分があり、
全体を構成するパーツが極めてシンプルであり、重量も非常に軽いものとなっており、現場の状況に応じて避難器具全体を携帯して、避難する場所まで移動し、現場の地形によってかけて固定し、握りハンドルを操作し、ロープに沿って下降して安全に地面まで移動可能であり、軽く、スピーディ−であり、携帯可能なフック式であることを特徴とする携帯可能なフック式避難器具。
【請求項２】
使用者の体重や環境に応じて握りハンドルに加える力を変化させることにより、避難器具の下降速度をコントロールすることが可能であり、ゆっくり下降し、ブレーキをかける作用も有することを特徴とする請求項１に記載の携帯可能なフック式避難器具。
【考案の詳細な説明】
【技術分野】
【０００１】
本考案の携帯可能なフック式避難器具は、災害発生時に使用者が携帯して避難場所まで移動して、現場の地形に応じて固定し、避難器具を操作して降下し、地面まで到達して移動することができるので、速やかに災害現場から避難できる効果がある。
【背景技術】
【０００２】
現行の消防法によると、高層ビルには全て安全設備に緊急用の避難設備を必要とすることを定めている。しかしながら、市場に出回っている器具のほとんどは、ビルの一角に固定され、フックをかけて使用する形式であり、かける形式の避難器具の構造は、まず人をロープに固定して、避難器具に連結した後、すでに一角に設置してあるフックと組み合わせて、滑車の原理を利用して、一方を使用者の重量を利用して地面に到達させて、安全に災害の現場から避難させると同時に、もう一方を上昇させて、次の避難者が使用できるようにするものである。このように、一方が上に、もう一方が下に連続した動作を繰り返す。
【０００３】
しかしながら、現在の避難設備は、ほとんどがフロアの隅に取り付けられている。避難設備はロープを移動させることによって作動するため、一旦ロープが移動中に建物の角やその他の物体にぶつかると、ロープがスムーズに予定の効果を発揮しない。このため、現在は、全てがこのような環境に応じた設計となっていて、垂列方式によって行なうようになっている。しかしながら、火災はどの位置に発生するかわからない。もし、火災の現場が避難設備の周辺であったり、避難設備の場所に行くまでに遮られたりする場合で、その上、火の勢いを抑えることができなければ、避難することは不可能となる。このため、決まった位置に固定するタイプの避難設備は火災発生時にどれほど役に立つか保証がないというのが現状である。
【０００４】
さらに、現在の避難設備は、一旦操作者がロープに固定されると、ただちに降下し始める。この時、操作者はまだ落ち着いた状態ではなく、ただちに降下し始めると、二次的な恐怖に駆られる可能性がある（ほとんどの者が初めて操作する上、高層ビルの壁に面して降りる時、周囲に何ら保護する物体がないため、その恐怖感はさらに大きくなると思われる）。したがって、従来の避難設備は、火災に直面した操作者が避難時に速やかに適応できるか否かについては全く考慮されていない。
【考案の開示】
【考案が解決しようとする課題】
【０００５】
そこで、本考案の目的は、操作者による迅速な操作が可能な携帯可能なフック式避難器具を提供することにある。
【課題を解決するための手段】
【０００６】
本考案の携帯可能なフック式避難器具は、着用ベルトによって台座の円錐形穴に円錐形部分本体を取り付け、円錐形部分本体の表面にはくぼみのある螺旋槽があって、ロープが巻き付くようになっている。そして、台座の両側下方にはそれぞれ固定された持ち手ハンドルと操作のための握りハンドルとがあって、握りハンドルと台座の下方がはめ込まれた後、握りハンドルの中間の位置の両側にそれぞれ連動ロッドがはめ込まれている。それぞれの連動ロッドのもう一方の端には、回転盤がはめ込まれている。回転盤がさらに円錐形部分本体の下端にある突出した突起部分にはめ込まれて固定される。本考案の避難器具は、使用者が携帯して避難地点まで移動することが可能で、現場の地形に応じて台座の上方のロープがしっかりと固定されて、使用者が着用ベルトを着用した後、握りハンドルを操作して作動させると、円錐形部分本体と台座がロープを締め付けることをやめるので、避難器具が使用者を下降させて、無事に地面に到着させて移動できることにより、速やかに災害現場から避難できる効果がある。
【考案を実施するための最良の形態】
【０００７】
図１、図２及び図３を参照する。本考案の一実施例による携帯可能なフック式避難器具は、台座１、円錐形部分本体２、持ち手ハンドル３、握りハンドル４、連動ロッド５及び回転盤６からなる。台座１の中間は中が空洞の円錐形穴１１になっていて、台座１の両側上方にそれぞれ使用者Ａが着用するための着用ベルトＡ１に連結するための貫通穴１２があって、下方にはそれぞれ固定された持ち手ハンドル３及び操作するための握りハンドル４があって、握りハンドル４が台座１の下方にはめ込まれた後、握りハンドル４の中間の両側にそれぞれ連動ロッド５がはめ込まれる。それぞれの連動ロッド５のもう一方の端には、回転盤６がはめ込まれる。回転盤６がさらに円錐形部分本体２の下端に突出した突起部分２２にはめ込まれて固定される。円錐形部分本体２は台座１の中間の中が空洞の円錐形穴１１内にあって、表面にはくぼんだ螺旋槽２１があって、ロープ７が絡まるようになっていて、下端には突出した突起部分２２がある。
【０００８】
災害が発生して避難の必要が生じる時、本実施例の避難器具は、全体を構成するパーツが極めてシンプルであるため、重量が非常に軽いものとなっている。このため、使用者Ａが現場の状況に応じて避難器具全体を携帯して、避難する場所まで移動し、現場の地形によって台座１の上方のロープ７を縛って固定し、使用者Ａが着用ベルトＡ１（あるいは、図５Ｂのように簡単に体に縛り付けてもよい）を着用する。図５Ａを参照する。さらに、着用ベルトＡ１のもう一方の端を台座１の両側上方にある貫通穴１２に固定した後、台座１の下の部分のロープ７を建物の外へ放り投げて下に垂れる状態にする。使用者Ａは、着用ベルトＡ１を着用した後、建物の外に這い出て、避難器具によって下に垂れ下がっているロープ７に沿って下りるのである。ロープ７が円錐形部分本体２の表面にあるくぼんだ螺旋槽２１に絡まっていること及び円錐形部分本体２の表面が台座１の中間の円錐形穴１１にぴったりとはまり込んでいることにより（図３参照）、すぐには下降しないようになっている。使用者Ａが下降準備完了の確認をし、心理的な準備ができてから、徐々にゆっくりと握りハンドル４を操作する。握りハンドル４は、握ることで力が加わり、連動ロッド５を動かし、回転盤６を下に引っ張る。この時、円錐形部分本体２が下に移動し、円錐形部分本体２の表面は台座１の中間の円錐形穴１１にぴったりと接触することがないため（図４参照）、避難器具全体が下降を始める（図５Ａ及び図５Ｂ参照）。使用者Ａが避難器具の操作と動きに適応した後、握りハンドル４を握る力を少しずつ大きくしていくと、下降速度が加速される。逆に、握りハンドル４に力を加えなければ、円錐形部分本体２の表面は台座１の中間の円錐形穴１１にぴったりと接触して（図３参照）、ブレーキをかけた状態となって、下降をやめる。
【０００９】
同時に、本実施例の避難器具は、使用者Ａの体重に応じて握りハンドル４に加える力を変化させることにより、避難器具の下降速度をコントロールすることが可能である。
このように、本実施例の避難器具は、下降速度をコントロールして、緊急避難時に効果的に使用できる他、携帯可能なフック式であるため、軽くてシンプルであり、災害の現場以外の適切な位置で操作することができるので、従来の避難器具が持つ多くの欠点を排除していて、避難器具として必要性が高い効果がある。
【００１０】
本実施例の携帯可能なフック式避難器具は、着用ベルトに結合させた台座の円錐形穴に円錐形部分本体が組み込まれている。円錐形部分本体の表面にはくぼんだ螺旋槽があり、ロープを絡ませるようになっている。そして、台座の両側の下方にはそれぞれ固定された持ち手ハンドル及び操作するための握りハンドルがある。握りハンドルが台座の下方にはめ込まれた後、握りハンドルの中間の位置の両側にそれぞれ連動ロッドがはめ込まれる。それぞれの連動ロッドのもう一方の端には、回転盤がはめ込まれる。回転盤がさらに円錐形部分本体の下端に突出した突起部分にはめ込まれる形で固定される。災害が発生した時、使用者が携帯して避難地点まで移動することが可能で、現場の地形に応じて台座の上方のロープがしっかりと固定されて、避難器具を操作して使用者を下降させ、無事に地面に到着させて移動できることにより、速やかに災害現場から避難できるという効果がある。
【００１１】
また、本実施例の携帯可能なフック式避難器具は、使用者の体重とその場の状況に応じて握りハンドルの握り方で操作をコントロールすることができる。したがって、避難器具の下降速度をコントロールすることができ、緩やかに下降させたり、ブレーキをかけたりすることが可能である特長がある。
【図面の簡単な説明】
【００１２】
【図１】本考案の一実施例による携帯可能なフック式避難器具を示す分解斜視図である。
【図２】本考案の一実施例による携帯可能なフック式避難器具を示す斜視図である。
【図３】本考案の一実施例による携帯可能なフック式避難器具の未作動の状態を示す模式図である。
【図４】本考案の一実施例による携帯可能なフック式避難器具の作動時の状態を示す模式図である。
【図５Ａ】本考案の一実施例による携帯可能なフック式避難器具の使用状態を示す模式図である。
【図５Ｂ】本考案の一実施例による携帯可能なフック式避難器具の使用状態を示す模式図である。
【符号の説明】
【００１３】
１  台座、２  円錐形部分本体、３  持ち手ハンドル、４  握りハンドル、５  連動ロッド、６  回転盤、７  ロープ、１１  円錐形穴、１２  貫通穴、２１  螺旋槽、２２  突起部分
【図１】
0003115148.tif 000003
【図２】
0003115148.tif 000004
【図３】
0003115148.tif 000005
【図４】
0003115148.tif 000006
【図５Ａ】
0003115148.tif 000007
【図５Ｂ】
0003115148.tif 000008